(57)【特許請求の範囲】
【請求項１】
壁面に取り付けられた据付板に機器を係合して、前記壁面に据え付けるようにしてなる機器の据付構造において、
前記据付板は、略平板状の主部と、この主部から前方へ突出した第一保持部と、同第一保持部の下方に位置すると共に前記主部から前方へ突出した第二保持部とを有するとともに、前記第一保持部は、前記主部から前方へ延びる第一係止片と同第一係止片からさらに前方へ延びる第二係止片とからなり、
前記機器の据付面には、前記据付板の第一保持部と第二保持部とに夫々係合される第一被保持部と第二被保持部とが設けられていると共に、同第二被保持部の下方には、掛け損ない防止用の凸部が設けられていることを特徴とする機器の据付構造。
【請求項２】
前記第二係止片には、載置部と導入部とが設けられていることを特徴とする請求項１に記載の機器の据付構造。
【請求項３】
前記機器の第一被保持部を据付板の第二係止片に係合させたとき、前記機器の第二被保持部は前記据付板の第二保持部の上方に位置していることを特徴とする請求項１乃至２記載の機器の据付構造。
【発明の詳細な説明】
【技術分野】
【０００１】
本発明は機器の据付構造に関する。より詳しくは、室内壁面に据付板が取り付けられ、機器が、この据付板に係止された状態で上記室内壁面に据え付けられる機器の据付構造に関する。
【背景技術】
【０００２】
従来の機器の据付構造として、例えば空気調和機の室内ユニットを壁面に据え付ける場合、まず室内壁面に据付板が取り付けられる。この据付板は、ビス穴が複数形成された平板状の主部と、この主部の上縁の左右２カ所に形成された支持部とを有している。作業者は、一方の手でこの据付板を保持して室内壁面に押しつけながら、他方の手でドライバ（ねじ回し）を回して、この据付板の主部をビスで室内壁面に固定する。この後、室内ユニットの背面上部に下方に向かって形成された突起部が、上記据付板の支持部に上方から挿入される。この結果、室内ユニットが、据付板に係止された状態で上記室内壁面に沿って据え付けられる。
【０００３】
前記空気調和機の場合、室内ユニットの据え付け時にこの室内ユニット下方に配置される配管等の設置工事を行う必要があるため、室内ユニットの背面上部のみが係止される。
【０００４】
これに対して、例えば電話機などの場合、据え付け時に配管工事の必要が無く、また、据え付けられた状態で操作されることから、操作時のガタツキ防止や落下防止のために複数箇所で据付板にしっかりと据え付けされる。このように据付板に対して複数箇所で係止される機器を据え付ける際は、複数個所ある係止部のいくつかが据付時には機器に隠れて見えにくく、機器の掛け損ないが起きるという問題がある。
【０００５】
【特許文献１】特開平１０−１０３７５８号公報
【特許文献２】実開平５-３９０５３号公報
【発明の開示】
【発明が解決しようとする課題】
【０００６】
本発明は、係る問題に対して、機器を据付板に据え付ける際に、機器に設けられている被保持部と据付板に設けられている保持部との掛け損ないを防止する機器の据付構造を提供することを目的とする。
【０００７】
【課題を解決するための手段】
【０００８】
請求項１の発明は、壁面に取り付けられた据付板に機器を係合して、前記壁面に据え付けるようにしてなる機器の据付構造において、前記据付板は、略平板状の主部と、この主部から前方へ突出した第一保持部と、同第一保持部の下方に位置すると共に前記主部から前方へ突出した第二保持部とを有するとともに、前記第一保持部は、前記主部から前方へ延びる第一係止片と同第一係止片からさらに前方へ延びる第二係止片とからなり、前記機器の据付面には、前記据付板の第一保持部と第二保持部とに夫々係合される第一被保持部と第二被保持部とが設けられていると共に、同第二被保持部の下方には、掛け損ない防止用の凸部が設けられていることを特徴とする機器の据付構造を提供するものである。
【０００９】
この発明によれば、機器に設けられている被保持部と据付板に設けられている保持部とを係合して機器を据付板に据え付ける際に、まず最初に機器の第一被保持部を据付板の第一保持部の第二係止片に係合させた状態で、機器の第二被保持部と据付板の第二保持部とを係合させることができるので、機器と据付板との掛け損ないを防止することができるという利点がある。また、機器の第一被保持部を据付板の第一保持部に係合させ損なっている場合には、機器の第二被保持部を据付板の第二保持部に係合することができなくなるため、掛け損ないがより防止できるという利点がある。 
【００１０】
請求項２の発明は、前記第二係止片には、載置部と導入部とが設けられていることを特徴とする機器の据付構造を提供するものである。
【００１１】
この発明によれば、機器に設けられている被保持部と据付板に設けられている保持部とを係合して機器を据付板に据え付ける際に、前記機器の第一被保持部が前記第二係止片の載置部に当接したところで、機器の据付面を壁面に対して略平行な状態として次の据付動作に移ることができるので、次の動作に移るタイミングが容易に分かり、より据え付けが容易となるという利点がある。
【００１４】
請求項３の発明は、前記機器の第一被保持部を据付板の第二係止片に係合させたとき、前記機器の第二被保持部は前記据付板の第二保持部の上方に位置していることを特徴とする機器の据付構造を提供するものである。
【００１５】
この発明によれば、機器に設けられている被保持部と据付板に設けられている保持部とを係合して機器を据付板に据え付ける際に、まず最初に機器の第一被保持部を据付板の第一保持部の第二係止片に係合させた状態で、機器の第二被保持部と据付板の第二保持部とを係合させることができるので、機器と据付板との掛け損ないを防止することができるという利点がある。
【発明の効果】
【００１６】
この発明にかかる機器の据付構造であれば、機器を壁面に据え付ける作業が容易になり、壁面への機器の掛け損なうことがない。
【発明を実施するための最良の形態】
【００１７】
以下、本発明の実施の形態を、添付図面に基づいた実施例として詳細に説明する。
【００１８】
実施例１
＜据付板３の構造＞
図１、図２は、据付板３と機器１の分解斜視図である。
【００１９】
図５に示すように、据付板３は、ビス穴３４が複数形成された平板状の主部３１と、この主部３１の上縁に沿って前方へ突出した第一保持部３２と、前記主部３１の下方に位置し前方へ突出した第二保持部３３とを有している。
【００２０】
この第一保持部３２は、主部３１の上縁の左右二箇所に設けられており、主部３１の板面から前方へ延びる第一係止片３２１とこの第一係止片３２１からさらに前方へ延びる第二係止片３２２とからなる。
【００２１】
第一係止片３２１、第二係止片３２２は共に載置部と導入部とからなる断面略Ｌ字状であって、導入部は機器１を第一保持部３２へ導く役目を果たすと共に壁面との間で機器１を係止し、載置部は機器１を支持する役目を果している。
【００２２】
第二保持部３３は、主部３１の下方に左右二箇所に設けられており、主部３１の板面から前方へ延びる載置部とこの載置部から上方へ延びる導入部とからなる断面略Ｌ字状の形状となっている。
【００２３】
＜機器側の被保持部構造＞
図１に示すように、機器１は、左右側面、上面、下面、前面、背面２１を有している。本実施例では機器１の背面２１が壁面側の据付板３に据付けられる据付面となっている。この背面２１は略中央が盛り上がり、凸面２２を形成している。この凸面２２の上方の両角部には、前記第一保持部３２の被保持部（第一被保持部２２１）が設けられており、前記凸面２２の下方の両角部には、前記第二保持部３３の被保持部（第二被保持部２２２）が設けられている。
【００２４】
機器１に設けられている第一被保持部２２１の形状を詳細に述べる。前記凸面２２の上方の両角部には凹部２２１１が設けられており、この凹部２２１１の上方は機器１内部に向かって開口２２１２している（図３）。この開口２２１２には、前記機器１を据付板３に係止する際に前記第一保持部３２が挿入される。
【００２５】
機器１に設けられている前記第二被保持部２２２の形状を詳細に述べる。この第二被保持部２２２は、前記凸面２２の外周縁から機器１の背面２１に延設された延設面２２３にスリット２２２１を設けてなる形状となっている（図４）。このスリット２２２１に、前記第二保持部３３の導入部が下方から挿入され、前記機器１を係止すると共に、前記第二保持部３３の載置部が前記機器１を支持する。
【００２６】
＜据え付け手順＞
機器１を据え付けるにあたって、図６に示すように、まず室内壁面に据付板３を取り付ける。具体的には、作業者は例えば左手でこの据付板３を保持して室内壁面に押しつけながら、右手でドライバ（ねじ回し）（図示しない）を回して、この据付板３を複数のビスで室内壁面に固定する。
【００２７】
次に、図７(a)に示すように、機器１の上部を後方（壁面側）へ倒して傾斜させた状態で、機器１を室内壁面に沿って上方から下方へ平行移動して、機器１の第一被保持部２２１を据付板３の第一保持部３２に嵌合させる。このとき第二係止片３２２の導入部が前記凹部２２１１上方に設けられた開口２２１２に挿入される。前記第二係止片３２２の導入部が前記開口２２１２に挿入されていくと、あるところで機器１の凹部外縁上部２２１３が前記第二係止片３２２の載置部と接触する（図７ (b)）。
【００２８】
機器１の凹部外縁上部２２１３が前記第二係止片３２２の載置部と接触することで、機器１は前記第二係止片３２２の載置部により下方向で支持され、万一手を離しても自重により落下することはない。
【００２９】
次に作業者は図６(a)の状態の機器１を、背面２１が壁面と略平行になるようにする（図７(ｃ)）。本実施例では、機器１の背面２１に設けられた第一被保持部２２１が機器１の上方にあって、機器１の重心より高い位置であって壁面に近い位置に設けられているので、作業者が特に力を入れなくても、機器１背面２１は機器１の自重により壁面と略平行な状態となる。
【００３０】
機器１背面２１が壁面と略平行な状態となる時、機器１の第二被保持部２２２は、据付板３の第二保持部３３より上方に位置する関係となる。
【００３１】
次に作業者は、機器１背面２１を壁面の方向に押し付ける方向に機器１前面側から力を加える。こうすると機器１の凹部外縁上部２２１３が壁面側にずれて前記第二係止片３２２載置部と接触しない状態になる（図７（ｄ））。機器１の凹部外縁上部２２１３が前記第二係止片３２２の載置部と接触することで機器１は下方向で支持されていたため、この接触がなくなることで、機器１は下方向での支持を失い、自重により落下する。ここで、前記第二係止片３２２の下方には前述したように前記第一係止片３２１が連設されている。従って、機器１の凹部外縁上部２２１３は据付板３の第一係止片３２１により係止される。具体的には、第一係止片３２１の載置部が機器１の凹部外縁上部２２１３と接触して機器１を下方向で支持し、第一係止片３２１の導入部と壁面とで囲まれる空間により機器１の凹部外縁上部２２１３は機器１の前後方向にも保持される。前記第二系止片の載置部は、前記延設面２２３と接触して機器１を下方向で支持し、前記第二系止片の導入部は機器１内部に設けられたリブと接触して機器１を下方向で支持する（図７（ｅ））。
【００３２】
また、機器１が自重で落下する直前、つまり機器１背面２１が壁面と略平行な状態の時、機器１の第二被保持部２２２は、据付板３の第二保持部３３より上方に位置する関係であるため、機器１が自重で落下したとき、据付板３の第二保持部３３の導入部は、機器１の背面２１下部に設けられたスリット２２２１（第二被保持部２２２）に挿入される。そして、凸面２２下部が第二保持部３３の載置部に接触して、機器１を下方向で支持する（図７（ｅ））。
【００３３】
なお、本実施例では、第一保持部３２と第二保持部３３は、主部３１の上縁と主部３１の下方に夫々設けられているが、必ずしもその位置である必要はなく、適宜変更可能である。第一保持部３２と第二保持部３３の位置を交換して、第一保持部３２を主部３１の下方に設けても良い。また、第一保持部３２と第二保持部３３は必ずしも左右二箇所にある必要はなく、二箇所以上に設けても良いし中央に一箇所だけ設けても良い。中央に一箇所だけ設けた場合、第一保持部３２の左右幅を大きくすると機器１の据え付け時の安定性が向上する。
【００３４】
また、第一保持部３２の形状も、必ずしも本実施例に限られず、例えば図１１や図１３に示すような形状であっても良い。
【００３５】
図１１に示す第一保持部３２は、図５(a)に示す第一保持部３２と同様に、主部３１の板面から前方へ延びる第一係止片３２１とこの第一係止片３２１からさらに前方へ延びる第二係止片３２２とからなるが、図１１に示す第一保持部３２の第二係止片３２２の形状が断面がカーブを描く断面略Ｌ字状となっている。つまり、図５（ａ）の第二係止片３２２と比べて載置部と導入部との境目が明確ではなくなっている。このような形状であっても機器１の据え付け手順は変わらない。図１１の第二係止片３２２にも、機器１の第一被保持部２２１を導く導入部と、同第一保持部３２を支持する載置部とがあり、図７（ａ）〜（ｅ）に示す据え付け手順と同様の手順により機器１を据え付け可能だからである。
【００３６】
なお、図９や図１１に示すように、第一係止片３２１に載置部が設けられていると以下の効果もある。すなわち、図７（ｅ）に示すように、機器１が据付板３に据え付けられた状態のとき、不意に機器１を上方に突き上げるような力が加わって機器１が上方に持ち上げられてしまった場合には、機器１の第一、第二被保持部２２２は、夫々据付板３との係合を解かれてしまう。このとき、前記第一係止片３２１に載置部が設けられていると、図１０や図１２に示すように、この載置部を構成する板と機器１の第一被保持部２２１に設けられたストッパ２２１５とが接触し、機器１がこれ以上上方に持ち上げられないように、機器１の上方への動きを規制する。従って、かかる不意な力に対して機器１が据付板３から外れてしまうことが無くなる。
【００３７】
図１３に示す第一保持部３２は、図５(a)に示す第一保持部３２と同様に、主部３１の板面から前方へ延びる第一係止片３２１とこの第一係止片３２１からさらに前方へ延びる第二係止片３２２とからなるが、図１３に示す第一保持部３２の第二係止片３２２の形状は、断面が一定の傾きを持った直線となっている。つまり、図５（ａ）の第二係止片３２２と比べて載置部と導入部が一体となっている。このような形状であっても、機器１の据え付け手順は基本的には変わらない。この場合には、機器１の第一被保持部２２１を据付板３の第一保持部３２に係合させるために、図示しないが、機器１の第一被保持部２２１の凹部外縁上部２２１３を第二係止片３２２に当接させて、機器１を支持しつつ前記凹部外縁上部２２１３を第一係止片３２１に導くように機器１を壁面側に移動させて、機器１背面２１が壁面と略平行な状態となったところで、据付板３の第二保持部３３の導入部を機器１の背面２１下部に設けられたスリット２２２１（第二被保持部２２２）に挿入する。
【００３８】
＜掛け損ない防止用の凸部＞
上述したが、本発明によれば、図７（ａ）〜（ｅ）に示すように、機器１の上部を後方（壁面側）へ倒して傾斜させた状態で、機器１を室内壁面に沿って上方から下方へ平行移動して、機器１の第一被保持部２２１を据付板３の第一保持部３２に嵌合させる。これにより、機器１の第一被保持部２２１を据付板３の第一保持部３２に嵌合させた状態で機器１の第二被保持部２２２を据付板３の第二保持部３３に嵌合させることができ、機器１の掛け損ないが防止できる。
【００３９】
しかし、作業者が機器１の第一被保持部２２１を据付板３の第一保持部３２に嵌合させ損なった状態で（作業者は嵌合されたと思い込んだまま）機器１の第二被保持部２２２を据付板３の第二保持部３３に嵌合させようとする場合が考えられる。この場合、機器１の第二被保持部２２２が据付板３の第二保持部３３に嵌合してしまうと、作業者は機器１が壁面に据え付けられたと思い込み、機器１を支持している手を離してしまい危険な場合がある。
【００４０】
これに対し本願発明では、機器１の据付面側の底面近傍に凸部（掛け損ない防止用の凸部２１１）を設けている。この凸部２１１は、機器１の据付面側から壁面に向かって立設されており、機器１の第一被保持部２２１を据付板３の第一保持部３２に嵌合させ損なった状態で、機器１の第二被保持部２２２を据付板３の第二保持部３３に嵌合させようとするとき、機器１の第二被保持部２２２が据付板３の第二保持部３３の導入部を越える前に壁面に当節するような長さを持っている。（図１１）
【００４１】
従って、機器１の第二被保持部２２２は据付板３の第二保持部３３の導入部を越えて壁面に近づくことができず、結果として第二被保持部２２２と第二保持部３３は嵌合できないので、作業者は機器１が据え付けられたと勘違いすることが防止できる。
【００４２】
前記掛け損ない防止用の凸部２１１は本実施例では底面近傍に設けられているが、設置位置はこれに限定されるものではなく適宜変更可能であり、前記掛け損ない防止用の凸部２１１の長さも設置位置に応じて適宜変更可能である。また、機器ではなく据付板に掛け損ない防止用の凸部を設けてもよい。
【図面の簡単な説明】
【００４３】
【図１】この発明の機器の据付構造を構成する据付板と機器とを斜め後方（背面側）上部から見た分解斜視図である。
【図２】この発明の機器の据付構造を構成する据付板と機器とを斜め後方（背面側）下部から見た分解斜視図である。
【図３】図１の第一被保持部拡大断面図である。
【図４】図１の第一被保持部拡大断面図である。
【図５】（ａ）は据付板の正面図、（ｂ）は（ａ）のＡ−Ａ断面図、（ｃ）は据付板３の上面図
【図６】据付板を壁面へ据え付けた状態を表す斜視図である。
【図７】（ａ）〜（ｅ）は機器を据付板に据え付ける手順を示す説明図である。
【図８】機器の据付過程を示す説明図である。
【図９】図７（ｅ）に示す第一保持部と第一被保持部の係合を示す拡大断面図である。
【図１０】機器が上方に突き上げられた場合の第一保持部と第一被保持部の状態を示す図である。
【図１１】他の実施例を示す図である。
【図１２】機器が上方に突き上げられた場合の第一保持部と第一被保持部の状態を示す図である。
【図１３】さらに他の実施例を示す図である。
【符号の説明】
【００４４】
１ 機器
２  筐体
２１  背面
２１１  掛け損ない防止用の凸部
２２  凸面
２２１  第一被保持部
２２１１  凹部
２２１２  開口
２２１３  凹部外縁上部
２２１４  凸部
２２１５  ストッパ
２２２  第二被保持部
２２２１  スリット
２２２２  凸面下端部
２２３  延設面
３  据付板
３１  主部
３２  第一保持部
３２１  第一係止片
３２１１、３２２１  載置部
３２１２、３２２２  導入部
３２２  第二係止片
３３  第二保持部
３３１  載置部
３３２  導入部
３４  ビス穴
３５  ガタツキ防止凸部
【図１】
0004736690.tif 000002
【図２】
0004736690.tif 000003
【図３】
0004736690.tif 000004
【図４】
0004736690.tif 000005
【図５】
0004736690.tif 000006
【図６】
0004736690.tif 000007
【図７】
0004736690.tif 000008
【図８】
0004736690.tif 000009
【図９】
0004736690.tif 000010
【図１０】
0004736690.tif 000011
【図１１】
0004736690.tif 000012
【図１２】
0004736690.tif 000013
【図１３】
0004736690.tif 000014